(57)【特許請求の範囲】
【請求項１】
駆動部と、該駆動部によって回転されるスピンドルと、該スピンドルの軸方向に移動可能なハンマと、該ハンマに形成したハンマカムと、前記スピンドルに形成したスピンドルカムと、該スピンドルカムと前記ハンマカムに係合するスチールボールと、前記ハンマを反駆動部側に常に付勢しているスプリングとを有し、更に前記スピンドルの端面に配され且つ前記ハンマの最大後退時に前記ハンマの端面と接触する弾性体とを備えたインパクト工具において、前記スチールボールがカムエンドに衝突する前に、前記ハンマの端面を前記弾性体に接触させ、さらに前記弾性体の接触面の形状を前記ハンマの端面形状と同一とし、前記弾性体の接触面を径方向に変形させる構成にしたことを特徴とするインパクト工具。
【発明の詳細な説明】
【０００１】
【発明の属する技術分野】
本発明は、スチールボールとスピンドルカム及びハンマカムによりハンマの前進、後退運動を行なうインパクト工具の防振、防音機構に関するものである。
【０００２】
【従来の技術】
従来のインパクト工具を図３〜図５を用いて説明する。図３は電気、空気等を駆動源とするボルト等の締付、緩めを行なう際に使用されるインパクトレンチの打撃機構部を示しており、ハウジング１に内蔵された駆動部からの回転力を減速部２を介してスピンドル３に伝達するよう構成されている。また、スピンドル３にはスピンドルカム４を、ハンマ5にはハンマカム６を形成しており、ハンマ５はスチールボール７を介してスプリング８によりＡ方向に付勢され、回転及び往復運動を行う。更にハンマ５にはハンマ爪９が具備されており、アンビル１０に具備されているアンビル爪１１と噛み合っている。
【０００３】
次に図５によりボルトの締付け時における打撃機構部の動作を説明する。ボルトの締付を開始するとスピンドル３、ハンマ５、アンビル１０は一体で回転し始める（パターンＡ）。そして、ボルトの締付トルクが高くなるとアンビル１０の回転が停止し、スピンドル３とハンマ５に回転方向の変位が生じ、ハンマ５はスピンドル軸３を摺動部としてスピンドルカム４のリードに沿ってスプリング８を圧縮しながら後退し、ハンマ５とアンビル１０の噛合いが外れる（パターンＢ）。そして、ハンマ５は最大に後退した後、スプリング８の付勢力によりスピンドルカム４のリードに沿って回転しながら前進し、アンビル１０に打撃力を与える（パターンＣ〜Ｄ〜Ｅ）。
【０００４】
このように動作する打撃機構部において、ハンマ５とスピンドル３との間には、図４に示す弾性体１３ｂが配設されており、これによりハンマ５の最大後退量（Ｌｂ）を規制して、スチールボール７の落下を防止している。
【０００５】
【発明が解決しようとする課題】
上述した従来の構成において、ボルトなどを締付ける際のハンマの最大後退時（Ｂ方向に最大移動する時）は、スチールボールがカムエンドに衝突する寸法関係になっていたため、スチールボールがカムエンドに当たった時の衝撃力により騒音、振動が発生してしまうという問題があった。
【０００６】
本発明は、上記問題を解消し、振動及び騒音の低減化を図ることで、使い勝手に優れたインパクト工具を提供することである。
【０００７】
【課題を解決するための手段】
上記目的は、駆動部と、駆動部によって回転されるスピンドルと、スピンドルの軸方向に移動可能なハンマと、ハンマに形成したハンマカムと、スピンドルに形成したスピンドルカムと、スピンドルカムとハンマカムに係合するスチールボールと、ハンマを反駆動部側に常に付勢しているスプリングとを有し、更にスピンドルの端面に配され且つハンマの最大後退時にハンマの端面と接触する弾性体とを備えたインパクト工具において、スチールボールがカムエンドに衝突する前に、ハンマの端面を弾性体に接触させることにより達成される。
【０００８】
【発明の実施の形態】
本実施例におけるインパクト工具を図１，図２及び図５を用いて説明する。図１は電気、空気等を駆動源とするボルト等の締付、緩めを行なう際に使用されるインパクトレンチの打撃機構部を示しており、ハウジング１に内蔵された駆動部からの回転力を減速部２を介してスピンドル３に伝達するよう構成している。また、スピンドル３にはスピンドルカム４を、ハンマ5にはハンマカム６を形成しており、ハンマ５はスチールボール７を介してスプリング８によりＡ方向に付勢され、回転及び往復運動を行う。更にハンマ５にはハンマ爪９が具備されており、アンビル１０に具備されているアンビル爪１１と噛み合っている。
【０００９】
次に図５によりボルトの締付け時における打撃機構部の動作を説明する。ボルトの締付を開始するとスピンドル３、ハンマ５、アンビル１０は一体で回転し始める（パターンＡ）。そして、ボルトの締付トルクが高くなるとアンビル１０の回転が停止し、スピンドル３とハンマ５に回転方向の変位が生じ、ハンマ５はスピンドル軸３を摺動部としてスピンドルカム４のリードに沿ってスプリング８を圧縮しながら後退し、ハンマ５とアンビル１０の噛合いが外れる（パターンＢ）。そして、ハンマ５は最大に後退した後、スプリング８の付勢力によりスピンドルカム４のリードに沿って回転しながら前進し、アンビル１０に打撃力を与える（パターンＣ〜Ｄ〜Ｅ）。
【００１０】
このように動作する打撃機構部において、ハンマ５とスピンドル３との間には、図２に示す弾性体１３ａが配設されており、スチールボール７がカムエンド１５に衝突する前に、ハンマ端面５ａと弾性体１３ａを接触（当接）させることで、衝突力を緩和している。なお、弾性体１３ａの当接面の形状をハンマ端面５ａと同一にし、また当接面の外径がワッシャ１４に規制されないようにすることで、ハンマ最大後退時（Ｂ方向に最大移動する時）の衝撃力を、弾性体１３ａの当接面における径方向に変形させ、分散、緩和できるので、騒音、振動を低減し、更に弾性体１３ａの寿命化が図れる。
【００１１】
【発明の効果】
本発明によれば、ハンマ最大後退時おいてハンマとスピンドルを係合しているスチールボールがカムエンドに衝突する前に、ハンマ端面を弾性体に接触させることで、振動、騒音を抑制することができる。また、ハンマ端面と接触する弾性体の当接面の形状を同一に、且つ弾性体の当接面を径方向に変形させることで、ハンマ最大後退時の衝突力を緩和できるので、弾性体の寿命を向上させることができる。
【図面の簡単な説明】
【図１】  本発明になるインパクトレンチの打撃機構部を示す一部省略縦断側面図である。
【図２】  本発明になる弾性体を示しており、（ａ）は断面図、（ｂ）は平面図である。
【図３】  従来のインパクトレンチの打撃機構部を示す一部省略縦断側面図である。
【図４】  従来の弾性体を示しており、（ａ）は断面図、（ｂ）は平面図である。
【図５】  ボルト締付時における打撃機構部の動作を示す状態図である。
【符号の説明】
１はハウジング、２は減速部、３はスピンドル、４はスピンドルカム、５はハンマ、５aはハンマ端面、６はハンマカム、７はスチールボール、８はスプリング、９はハンマ爪、１０はアンビル、１１はアンビル爪、１２はハンマーケース、１３ａは弾性体、１３ｂは弾性体、１４はワッシャ、１５はカムエンドである。
【図１】
0003780831.tif 000002
【図２】
0003780831.tif 000003
【図３】
0003780831.tif 000004
【図４】
0003780831.tif 000005
【図５】
0003780831.tif 000006